(57)【要約】【課題】外部動力を必要としない簡易な構造で、定められた点検部位に対し定めた方向に一定の打撃力を与えることができる打撃装置を提供する。【解決手段】  軸２の先端に検査対象物Ｗに接する打撃部２ｂを設け、軸２の先端に至る途中に張出し部７を設ける。軸２が貫通する貫通孔３ｂを有するウェイト部３を、軸２の軸方向に移動可能に設ける。軸２の打撃部２ｂが検査対象物Ｗに接した状態で、ウェイト部３を軸２の張出し部７に衝突させ、軸２の打撃部２ｂから検査対象物Ｗに打撃を与える。【選択図】図２
2017138177.tif 000002
【特許請求の範囲】
【請求項１】
先端に検査対象物に接する打撃部を有し、前記先端に至る途中に張出し部を有する軸と、
前記軸が貫通する貫通孔を有し、前記軸の軸方向に移動可能なウェイト部と、を備え、
前記ウェイト部が前記軸の前記張出し部に衝突することによって、前記軸の前記打撃部から前記検査対象物に打撃を与える打撃装置。
【請求項２】
前記打撃装置は、前記ウェイト部を前記軸方向における前記張出し部に向かう方向に付勢する弾性部材を備えることを特徴とする請求項１に記載の打撃装置。
【請求項３】
前記打撃装置は、前記弾性部材の弾性力に抗して前記軸方向における所定の位置に前記ウェイト部を保持可能なトリガを備えることを特徴とする請求項２に記載の打撃装置。
【請求項４】
前記打撃装置は、前記ウェイト部及び前記弾性部材を覆い、前記軸に固定される筒状のカバーを備えることを特徴とする請求項２又は３に記載の打撃装置。
【請求項５】
前記カバーには、前記軸方向に延在するスリットが設けられ、
前記ウェイト部には、前記カバーの外側から前記ウェイト部を前記軸方向に移動させることができるように、前記スリットを通る操作部が固定されることを特徴とする請求項４に記載の打撃装置。
【請求項６】
前記ウェイト部及び前記弾性部材を交換可能なように、前記張出し部が前記軸に着脱可能に螺合することを特徴とする請求項２ないし５のいずれか１項に記載の打撃装置。
【発明の詳細な説明】
【技術分野】
【０００１】
本発明は、検査対象物に打撃を与える打撃装置に関する。
【背景技術】
【０００２】
例えば製鉄所等の工場内には、機械類の点検などのために金属製の歩廊、作業床、階段が設けられる。これらが腐食すると、歩行者が床面を踏み抜くおそれがある。このため、床面が腐食しているか否かを定期的に点検する必要がある。
【０００３】
床面の点検を簡易に行う手段として、目視による溶接剥がれ、塗装白地、腐食減肉の程度などの確認と共に、ハンマで打診し、破れ、変形、溶接剥がれ、破断の発生有無を確認する方法が一般的である。しかし、従来のハンマでの打診では、検査部位に当てるハンマ打撃面を検査面に水平に当てる、過剰な打撃力を与えない、といった熟練の技が必要になるため、教育・訓練を受けた者が行う必要があるという課題がある。同様の課題は、橋梁、トンネル壁面等のコンクリート構造物の打音検査、樹木の打音検査にも存在する。
【０００４】
この課題を解決するために、特許文献１には、ハンマの動きを模して検査対象物に一定の打撃力を与えられるようにする打撃装置が提案されている。特許文献２には、先端に打撃部を有するプラグと、プラグを軸方向に移動可能に支持する筒状の案内部と、プラグから検査対象物に打撃を与えられるようにプラグを押すエアーシリンダと、を備える打撃装置が提案されている。これらの従来の打撃装置は、人力の替わりにばねやエアーシリンダの動力を用いて検査対象物に一定の打撃力を与えようとするものである。
【先行技術文献】
【特許文献】
【０００５】
【特許文献１】特開２００３−２５４９４８号公報
【特許文献２】特開２０１５−２２７８０７号公報
【発明の概要】
【発明が解決しようとする課題】
【０００６】
しかし、従来の打撃装置にあっては、始めに検査対象物から離れた位置にあるハンマやプラグが、検査対象物に衝突することで検査対象物に打撃を与えている。このため、従来の打撃装置には、打撃を与える部位及び打撃力がいまだにばらつくという課題がある。また、エアーシリンダなどの動力源を用いて一定の打撃力を与える打撃装置には、外部動力が必要となるので、広範囲の点検を連続的に行うには不向きであるという課題がある。
【０００７】
そこで本発明は、上記の問題点を考慮し、外部動力を必要としない簡易な構造で、定められた点検部位に対し定めた方向に一定の打撃力を与えることができる打撃装置を提供することを目的とする。
【課題を解決するための手段】
【０００８】
上記課題を解決するために、本発明は、先端に検査対象物に接する打撃部を有し、前記先端に至る途中に張出し部を有する軸と、前記軸が貫通する貫通孔を有し、前記軸の軸方向に移動可能なウェイト部と、を備え、前記ウェイト部が前記軸の前記張出し部に衝突することによって、前記軸の前記打撃部から前記検査対象物に打撃を与える打撃装置である。
【発明の効果】
【０００９】
本発明によれば、検査対象物に軸の打撃部を接触させた状態で、軸方向に移動するウェイト部の質量を利用して検査対象物に打撃力を与えるので、外部動力を必要としない簡易な構造で、検査対象物の定められた点検部位に対し定めた方向に一定の打撃力を与えることができる。
【図面の簡単な説明】
【００１０】
【図１】本発明の一実施形態の打撃装置を示す図（図１（ａ）は側面図（一部断面図を含む）であり、図１（ｂ）は正面図（一部断面図を含む）である）。
【図２】本実施形態の打撃装置の使用方法を説明する側面図である（図２（ａ）はウェイト部を上昇させてトリガに係合させた状態を示し、図２（ｂ）はウェイト部を落下させてフランジに衝突させた状態を示す）。
【発明を実施するための形態】
【００１１】
以下、添付図面に基づいて、本発明の実施形態の打撃装置を詳細に説明する。ただし、本発明の打撃装置は、種々の形態で具体化することができ、本明細書に記載される実施形態に限定されるものではない。本実施形態は、明細書の開示を十分にすることによって、当業者が発明の範囲を十分に理解できるようにする意図をもって提供されるものである。
【００１２】
図１（ａ）は、本実施形態の打撃装置１の側面図を示し、図１（ｂ）は、本実施形態の打撃装置１の正面図を示す。本実施形態の打撃装置１は、軸２、ウェイト部３、弾性部材としてのコイル状のスプリング４、トリガ５、カバー６、を備える。以下に、これらの構成要素を順番に説明する。
【００１３】
軸２は、軸方向の先端に打撃部２ｂを、先端に至る途中に張出し部としてのフランジ７を、軸方向の基端部にハンドル部８を有する。パイプ体からなる軸本体２ａの先端部の内面には、円柱状の打撃部２ｂが固定される。打撃部２ｂが検査対象物に接する。軸本体２ａの先端部の外面には、円筒状のフランジ７が螺合する。フランジ７の径は軸本体２ａの径よりも大きい。フランジ７は、ねじによって軸本体２ａに着脱可能に取り付けられる。ハンドル部８は、作業者がハンドル部８を握ることができるように、カバー６から露出する。ハンドル部８は、軸本体２ａの基端部に固定される樹脂製の握玉８ａを備える。
【００１４】
ウェイト部３は、軸２が貫通する貫通孔３ｂを有して略円筒状である。ウェイト部３は、軸２に案内されて軸方向に移動する。ウェイト部３の外面には、円周方向に延びるリング溝３ａが形成される。このリング溝３ａは、ウェイト部３がトリガ５に係合できるようにする。ウェイト部３には、操作部としてのボルト９が螺合する。ボルト９には、取手１０が引っ掛けられる。取手１０は、例えばワイヤーをリング状に丸めたものであり、カバー６の外側に配置される。作業者は、取手１０を掴んでカバー６の外側からウェイト部３を軸方向に移動させる。ウェイト部３の質量は、検査対象物に与えるべき打撃力に応じて決定される。なお、ウェイト部３の質量を調整するために、ウェイト部３を軸方向に配列される複数のリング状体から構成することも可能である。
【００１５】
スプリング４は、軸２を囲むように配置される。スプリング４は、ウェイト部３とカバー６の基端側ブラケット６ｂとの間に配置され、ウェイト部３を軸方向におけるフランジ７に向かうＡ方向に付勢する。スプリング４の軸方向の長さ、ばね定数は、検査対象物に与えるべき打撃力に応じて決定される。スプリング４の自然長Ｌｓは、フランジ７に当接する位置にあるウェイト部３から基端側ブラケット６ｂまでの距離Ｌ１未満に設定される（図２（ｂ）も参照）。
【００１６】
図１に示すように、トリガ５は、鉤状であり、シーソーのように軸２に揺動可能に支持される。軸２とトリガ５との間には、トリガ５の一端の係合部５ａがウェイト部３のリング溝３ａに係合可能なように、トリガ５の回転方向Ｃに付勢するトリガ用スプリング１１が設けられる。また、カバー６の外側のトリガ５の係合部５ａがウェイト部３に係合可能なように、カバー６にはトリガ５の係合部５ａに対応する位置に縦長の穴６ｃ１が空けられる。
【００１７】
カバー６は、ウェイト部３及びスプリング４を覆うと共に、軸２に固定される。カバー６は、軸２の先端側に固定される環状の先端側ブラケット６ａと、軸２の基端側に固定される環状の基端側ブラケット６ｂと、先端側ブラケット６ａと基端側ブラケット６ｂとの間に設けられる筒状のカバー本体６ｃと、を備える。カバー本体６ｃには、軸方向に延在するスリット６ｃ２が形成されると共に、穴６ｃ１が形成される。スリット６ｃ２には、ウェイト部３のボルト９が通る。穴６ｃ１には、トリガ５の係合部５ａが出入りする。カバー本体６ｃは、樹脂製であり、カバー本体６ｃの内部のスプリング４及びウェイト部３が視認できるように透明である。カバー本体６ｃと先端側ブラケット６ａとの間の隙間１２ａ、及びカバー本体６ｃと基端側ブラケット６ｂとの間の隙間１２ｂには、図示しないＯリングが巻かれる。
【００１８】
図２を参照しつつ、本実施形態の打撃装置１の使用方法を説明する。まず、作業者が取手１０（図１（ｂ）参照）を掴み、ウェイト部３をスプリング４のばね力に抗してフランジ７から離れる方向に移動させる。図２（ａ）に示すように、ウェイト部３が軸方向の所定の位置まで移動すると、トリガ５がウェイト部３に係合し、ウェイト部３が所定の位置に保持される。スプリング４は自然長Ｌｓよりも短い長さＬｓ１に縮められる。次に、作業者は、軸２が検査対象物Ｗの検査面に対して垂直方向を向くように打撃装置１を床面上に立て、軸２の先端の打撃部２ｂを検査対象物Ｗの点検部位に接触させる。次に、作業者は、軸２のハンドル部８を握り、トリガ用スプリング１１の弾性力に抗してトリガ５をＤ方向に回転させる。すると、図２（ｂ）に示すように、トリガ５とウェイト部３との係合が外れ、ウェイト部３がその自重及びスプリング４のばね力によって落下する。落下したウェイト部３は軸２のフランジ７に衝突する。これにより、軸２の打撃部２ｂから検査対象物Ｗの点検部位に打撃が与えられる。
【００１９】
以上に本実施形態の打撃装置１の構成及び使用方法を説明した。本実施形態の打撃装置１によれば以下の効果を奏する。
【００２０】
検査対象物Ｗに軸２の打撃部２ｂを接触させた状態で、軸２の軸方向に移動するウェイト部３の質量を利用して検査対象物Ｗに打撃力を与えるので、外部動力を必要としない簡易な構造で、検査対象物Ｗの定められた点検部位に対し定めた方向に一定の打撃力を与えることができる。
【００２１】
ウェイト部３を軸２のフランジ７に向かう方向に付勢するスプリング４を設けるので、小型の打撃装置１でありながら大きな打撃力を与えることができるようになり、持ち運び可能なサイズと重量を実現できる。
【００２２】
スプリング４の弾性力に抗してウェイト部３を所定の位置に保持するトリガ５を備えるので、ウェイト部３の落下距離（速度）を一定に保つことができ、誰が使用しても常に一定の打撃力を発揮させることができる。
【００２３】
ウェイト部３およびスプリング４を覆うカバー６を備えるので、作業者が手を挟むのを防止でき、安全な打撃装置１にすることができる。
【００２４】
カバー６にスリット６ｃ２を設け、ウェイト部３をカバー６の外側から操作できるようにするので、作業者が手を挟むのをより防止でき、安全な打撃装置１にすることができる。
【００２５】
フランジ７が軸２に着脱可能であり、ウェイト部３及びスプリング４が交換可能なので、検査対象物Ｗに応じて必要な打撃力を調整することができる。
【００２６】
なお、本発明は上記実施形態に具現化されるのに限られることはなく、本発明の要旨を変更しない範囲でさまざまな実施形態に変更可能である。
【００２７】
例えば、上記実施形態では、軸を垂直方向に配置し、ウェイト部の落下とスプリングの弾性力により検査対象物に打撃を与えているが、軸を水平方向に配置し、ウェイト部の水平方向の移動とスプリングの弾性力により検査対象物に打撃を与えることもできる。
【産業上の利用可能性】
【００２８】
本発明の打撃装置の用途は、歩廊、作業床、階段等の床面の踏抜き検査に好適であるが、これに限定されるものではない。例えば、橋梁、トンネル壁面等のコンクリート構造物の打音検査、樹木の打音検査にも使用することができる。
【符号の説明】
【００２９】
１…打撃装置
２…軸
２ａ…軸本体
２ｂ…打撃部
３…ウェイト部
３ａ…リング溝
３ｂ…貫通孔
４…スプリング（弾性部材）
５…トリガ
５ａ…係合部
６…カバー
６ａ…先端側ブラケット
６ｂ…基端側ブラケット
６ｃ…カバー本体
７…フランジ（張出し部）
８…ハンドル部
８ａ…握玉
９…ボルト（操作部）
１０…取手
１１…トリガ用スプリング
Ｗ…検査対象物
【図１】
2017138177.tif 000003
【図２】
2017138177.tif 000004